(57)【要約】【課題】  ２つの基布が移動方向に対する横断方向に別々に縮むことを許容できるテンターシステムを提供すること。【解決手段】  ペーパーマシン用のフェルト又は類似の製品における２つの基布である上基布３と下基布４とを、同時に処理するのに使用するよう構成されている、テンターシステムであって、上基布用の一対のテンターフレーム６と、下基布用の一対のテンターフレーム７とが、加熱処理領域５を通過する基布の両エッジに沿って、上基布及び下基布をそれぞれ把持するようになっており、二対のテンターフレーム６、７を基布の移動方向に対する横断方向に互いに独立に移動させることによって、その横断方向において特定のストレッチを維持するようになっており、それによって、その横断方向における２つの基布の幅の独立した変化を可能としていることを特徴としている。【選択図】図１
2004183198.tif 000002
【特許請求の範囲】
【請求項１】
ペーパーマシン用のフェルト又は類似の製品における２つの基布である上基布（３）と下基布（４）とを、同時に処理するのに使用するよう構成されている、テンターシステムであって、
上基布用の一対のテンターフレーム（６）と、下基布用の一対のテンターフレーム（７）とが、加熱処理領域（５）を通過する基布の両エッジに沿って、上基布及び下基布をそれぞれ把持するようになっており、
二対のテンターフレーム（６、７）を基布の移動方向に対する横断方向に互いに独立に移動させることによって、その横断方向において特定のストレッチを維持するようになっており、
それによって、その横断方向における２つの基布の幅の独立した変化を可能としていることを特徴とするテンターシステム。
【請求項２】
下基布（４）用の２つのテンターフレーム（７）の各々が、モータ（１４）によって駆動されるスクリュースピンドル（１２）を介して、上基布（３）用の対応するテンターフレーム（６）に連結しており、それによって、基布の移動方向に対する横断方向における、２つのセットのテンターフレーム（６）、（７）の相対移動を、制御しており、
それにより、２つのセットのテンターフレームが、モータ（１３）を作動させることによって主スピンドル（１１）を回転させることにより、レール（１０）上を横断方向に移動することを特徴とする請求項１記載のテンターシステム。
【請求項３】
テンターフレーム（７）によって把持された基布における横断方向のストレッチ力が、一対のロードセル（１６）によって感知され、
一方、テンターフレーム（６）によって把持された基布の対応するストレッチ力が、一対のロードセル（１５）によって感知され、
それらの測定値が、テンターフレーム（７）の上記ストレッチ力によって影響されないことを特徴とする請求項２記載のテンターシステム。
【発明の詳細な説明】
【技術分野】
【０００１】
本発明は、ペーパーマシン用のフェルトや織物、又は同様の布地、のためのテンターシステムに関するものである。
【背景技術】
【０００２】
上述したフェルト等の製品は、２つの主要素、即ち、基布と詰綿とからなっている。基布は、織物であり、比較的開いた構造を有している。基布は、フェルトにおける支持要素であり、フェルトの寸法を安定させている。即ち、基布は、フェルトが、ペーパーマシンにおいてロール上やプレスニップを通ってエンドレスループを形成する際に、力、湿気、高温に晒されても、形や寸法が変化するのを防止している。
【０００３】
このような安定性を達成するために、基布は、製造工程において、制御された温度で加熱処理されている。
【０００４】
大体において、現代のフェルトは、２つの基布を備えており、２つの基布は、完成したエンドレスフェルトにおいて、フェルトの中央面の近くで一方が他方の内側に配置されている。２つの基布は、異なった特性を有しており、従って、加熱処理に対して異なった反応をする。フェルトがエンドレスベルトであるので、基布は同じ長さでなければならない。これは、２つの基布を、一方を他方の内側にして共に加熱処理することによって達成できる。その加熱処理は、加熱ロールに接触させることによって、又は、その製品に熱風を吹付けることによって、実行される。熱風は、基布を加熱領域を通して移動させるために回転する平行なロール間で、伸ばした状態で、製品に吹き付けられる。
【特許文献１】特開平１１−１２９８４６号公報
【発明の開示】
【発明が解決しようとする課題】
【０００５】
共に処理される２つの基布の特性が異なっているために、２つの基布は、高温に晒された時に、移動方向に対する横断方向に、別々に縮んでしまう。ところで、基布は、互いに接触しているので、大きく縮む基布が他の基布を引張り、他の基布は加熱領域を出てロールに巻かれる時に皺を作ってしまう。そのような皺は、フェルトにおいて、部分的な厚さの変化を生じさせるので、容認できるものではない。
【０００６】
本発明は、２つの基布が移動方向に対する横断方向に別々に縮むことを許容できるテンターシステムを提供することを目的とする。
【課題を解決するための手段】
【０００７】
請求項１記載の発明は、ペーパーマシン用のフェルト又は類似の製品における２つの基布である上基布３と下基布４とを、同時に処理するのに使用するよう構成されている、テンターシステムであって、上基布用の一対のテンターフレーム６と、下基布用の一対のテンターフレーム７とが、加熱処理領域５を通過する基布の両エッジに沿って、上基布及び下基布をそれぞれ把持するようになっており、二対のテンターフレーム６、７を基布の移動方向に対する横断方向に互いに独立に移動させることによって、その横断方向において特定のストレッチを維持するようになっており、それによって、その横断方向における２つの基布の幅の独立した変化を可能としていることを特徴としている。
【０００８】
請求項２記載の発明は、請求項１記載の発明において、下基布４用の２つのテンターフレーム７の各々が、モータ１４によって駆動されるスクリュースピンドル１２を介して、上基布３用の対応するテンターフレーム６に連結しており、それによって、基布の移動方向に対する横断方向における、２つのセットのテンターフレーム６、７の相対移動を、制御しており、それにより、２つのセットのテンターフレームが、モータ１３を作動させることによって主スピンドル１１を回転させることにより、レール１０上を横断方向に移動することを特徴としている。
【０００９】
請求項３記載の発明は、請求項２記載の発明において、テンターフレーム７によって把持された基布における横断方向のストレッチ力が、一対のロードセル１６によって感知され、一方、テンターフレーム６によって把持された基布の対応するストレッチ力が、一対のロードセル１５によって感知され、それらの測定値が、テンターフレーム７の上記ストレッチ力によって影響されないことを特徴としている。
【発明の効果】
【００１０】
本発明によれば、モータ１３、１４、スピンドル１１、１２、及び台車８、９によって、二対のテンターフレーム６、７を基布３、４の移動方向に対する横断方向に互いに独立に移動させることができるので、その横断方向において、基布３、４に特定のストレッチを維持することができ、従って、その横断方向における基布３、４の幅の独立した変化を可能にできる。よって、基布３、４がロールに巻かれる時に基布３、４のいずれか又は両方に皺ができるのを防止できる。
【発明を実施するための最良の形態】
【００１１】
図１は処理手段に取り付けられた本発明のテンターシステムの斜視図である。図２は図１のテンターシステムのII−II断面図である。
【００１２】
図１に示すように、２つの基布、即ち、上基布３と下基布４とは、ロール１とロール２との間で、処理手段５を通って移動する。処理手段５は、例えば、基布に熱風を吹付けることによって加熱処理するものである。テンターフレーム６、７からなる把持手段は、基布の移動方向に対する横断方向に基布３、４を伸ばすために、各基布３、４の各エッジに沿った１つのテンターフレーム６、７によって、両エッジに沿って上基布３及び下基布４をそれぞれ把持している。
【００１３】
基布は、例えば、エッジの近くで基布を貫通するピンによって、又は、基布のエッジを把持するクランプによって、保持できる。テンターフレーム６、７は、レール１０上を走る台車８、９に機械的に連結している。
【００１４】
台車８、９は、基布の移動方向に対する横断方向に動くことができ、それにより、その横断方向における基布３、４の寸法変化を可能にしている。台車８、９の移動は、ランニングモータ１３、１４によってスクリュースピンドル１１、１２を回転させることによって、又は、ラックピニオンシステムにより台車８、９をレール１０に接続することによって、達成できる。
【００１５】
図２は、スクリュースピンドル１２によって連結された一方側における２つの台車８、９を示している。基布の移動方向に対する横断方向において、２つの基布３、４の寸法変化が両方とも等しいものである場合には、台車８、９の相対移動は必要ではなく、モータ１４は作動しない。寸法変化が異なる場合には、モータ１４が一方向又は他方向に作動してこれを補償する。
【００１６】
殆どの場合、基布における移動方向に対する横断方向におけるストレッチ力は、一定に維持され、或いは、加熱工程の間、あるプログラムに従って変化する。これは、上基布３用のロードセル１５及び下基布４用のロードセル１６によって、それぞれの基布３、４におけるストレッチ力を感知し、その測定値に従って、モータ１３、１４を作動させることによって、達成する。各側におけるテンターフレーム６、７は、ロードセル１５、１６が基布の移動方向に対して直角な水平方向におけるストレッチ力のみを感知するように台車８、９に連結されている。
【００１７】
本発明においては、上基布３の幅方向（基布の移動方向に対する横断方向）両側のエッジがそれぞれテンターフレーム６で把持されており、下基布４の幅方向両側のエッジがそれぞれテンターフレーム７で把持されている。テンターフレーム６は台車８に連結しており、テンターフレーム７は台車９に連結している。そして、基布３、４に寸法変化が生じた場合、モータ１３が作動してスピンドル１１が回転して、台車８、９が共にレール１０上を移動する。更に、その場合において、基布３、４の寸法変化が異なっている場合には、モータ１４が作動してスピンドル１２が回転して、台車８と台車９とが相対移動する。基布３、４の寸法変化は、それぞれ、基布３、４におけるストレッチ力をロードセル１５、１６によって感知することによって測定される。台車８、９は、その測定値に基づいて移動する。従って、本発明によれば、２つの基布３、４が移動方向に対する横断方向に別々に縮むことを許容でき、それにより、基布３、４がロールに巻かれる時に基布３、４のいずれか又は両方に皺ができるのを防止できる。
【産業上の利用可能性】
【００１８】
本発明のテンターシステムは、皺を生じさせること無く、２つの基布を同時に処理できるので、産業上の利用価値が大である。
【図面の簡単な説明】
【００１９】
【図１】処理手段に取り付けられた本発明のテンターシステムの斜視図である。
【図２】図１のテンターシステムのII−II断面図である。
【符号の説明】
【００２０】
３  上基布
４  下基布
５  処理手段
６、７  テンターフレーム
１１、１２  スピンドル
１３、１４  モータ
１５、１６  ロードセル
【図１】
2004183198.tif 000003
【図２】
2004183198.tif 000004